【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
３次元（３Ｄ）プリンタにおいて、
中間転写面と、
乾燥ポリマー粉末を含む材料の層を前記中間転写面に静電的に転写するように配置された現像ステーションと、
前記中間転写面に隣接する転写定着ステーションと、
前記中間転写面に対して移動するプラテンであって、前記プラテン上の前記層の独立した積層を連続的に形成するように前記転写定着ステーションにおいて前記中間転写面上の前記層の１つに前記プラテンが接触するたびに、前記中間転写面が前記材料の層を前記プラテンに転写するプラテンと、
前記層が前記転写定着ステーションから前記プラテンに転写された後に前記層に紫外光を印加するように配置された硬化ステーションであって、前記層内の前記材料の一部のみにおけるポリマーを架橋させるように前記紫外光を選択的に印加する硬化ステーションと、
を備え、前記硬化ステーションは、前記層に限定された浸透深さに前記紫外光を提供し、前記層が配置される前記独立した積層に前記紫外光を提供することを回避する構成要素を含む、３Ｄプリンタ。
【請求項２】
前記硬化ステーションが、前記層内の前記材料の第２の部分に前記紫外光を印加せず、前記紫外光が、未架橋材料として前記第２の部分を残すように前記第２の部分におけるポリマーを架橋することなく前記一部におけるポリマーを一体に架橋する、請求項１に記載の３Ｄプリンタ。
【請求項３】
前記硬化ステーションが、前記層内の前記材料の第２の部分に前記紫外光を印加せず、前記一部が前記層の全てよりも小さく、前記一部及び前記第２の部分が前記層の異なる部分である、請求項１に記載の３Ｄプリンタ。
【請求項４】
前記硬化ステーションが、前記層内の前記材料の第２部分に前記紫外光を印加せず、
前記３Ｄプリンタが、さらに、前記第２の部分から前記一部を分離して３Ｄ印刷された部品を残すために前記第２の部分を除去するように配置された材料除去ステーションを備える、請求項１に記載の３Ｄプリンタ。
【請求項５】
前記材料除去ステーションは、溶媒リンス装置を含む、請求項４に記載の３Ｄプリンタ。
【請求項６】
前記転写定着ステーションと前記硬化ステーションとの間に配置された定着ステーションをさらに含む、請求項１に記載の３Ｄプリンタ。
【請求項７】
前記転写定着ステーション、前記定着ステーション、及び前記硬化ステーションは、前記プラテンが前記転写定着ステーションを最初に通過し、次に前記定着ステーションを通過し、そして、前記硬化ステーションを通過するように配置されている、請求項６に記載の３Ｄプリンタ。
【請求項８】
３次元（３Ｄ）プリンタにおいて、
中間転写面と、
乾燥ポリマー粉末を含む異なる材料の層を前記中間転写面に静電的に転写するように配置された現像ステーションと、
前記中間転写面に隣接する転写定着ステーションであって、前記中間転写面が前記転写定着ステーションを通過するのにともない前記層を受けるように配置された転写定着ステーションと、
前記中間転写面に対して移動するプラテンであって、前記プラテン上の前記層の独立した積層を連続的に形成するように前記転写定着ステーションにおいて前記中間転写面上の前記層の１つに前記プラテンが接触するたびに、前記中間転写面が前記異なる材料の層を前記プラテンに転写するプラテンと、
前記層が前記転写定着ステーションから前記プラテンに転写された後に前記層のそれぞれにＬＥＤ紫外光を印加するように配置されたＬＥＤ硬化ステーションであって、前記層内の前記異なる材料の一部のみにおけるポリマーを架橋させるように前記ＬＥＤ紫外光を前記層に選択的に印加するＬＥＤ硬化ステーションと
を備え、前記ＬＥＤ硬化ステーションは、前記層に限定された浸透深さに前記ＬＥＤ紫外光を提供し、前記層が配置される前記独立した積層に前記紫外光を提供することを回避する構成要素を含む、３Ｄプリンタ。
【請求項９】
前記ＬＥＤ硬化ステーションが、前記層内の前記材料の第２部分に前記ＬＥＤ紫外光を印加せず、前記ＬＥＤ紫外光が、未架橋材料として前記第２の部分を残すように前記第２の部分におけるポリマーを架橋することなく前記一部におけるポリマーを一体に架橋する、請求項８に記載の３Ｄプリンタ。
【請求項１０】
前記ＬＥＤ硬化ステーションが、前記層内の前記材料の第２の部分に前記ＬＥＤ紫外光を印加せず、前記一部が前記層の全てよりも小さく、前記一部及び前記第２の部分が前記層の異なる部分である、請求項８に記載の３Ｄプリンタ。
【請求項１１】
前記ＬＥＤ硬化ステーションが、前記層内の前記材料の第２部分に前記ＬＥＤ紫外光を印加せず、
前記３Ｄプリンタが、さらに、前記第２の部分から前記一部を分離して３Ｄ印刷された部品を残すために前記第２の部分を除去するように配置された材料除去ステーションを備える、請求項８に記載の３Ｄプリンタ。
【請求項１２】
前記材料除去ステーションは、溶媒リンス装置を含む、請求項１１に記載の３Ｄプリンタ。
【請求項１３】
前記転写定着ステーションと前記ＬＥＤ硬化ステーションとの間に配置された定着ステーションをさらに含む、請求項８に記載の３Ｄプリンタ。
【請求項１４】
前記転写定着ステーション、前記定着ステーション、及び前記ＬＥＤ硬化ステーションは、前記プラテンが前記転写定着ステーションを最初に通過し、次に前記定着ステーションを通過し、そして、前記ＬＥＤ硬化ステーションを通過するように配置されている、請求項１３に記載の３Ｄプリンタ。
【請求項１５】
３次元（３Ｄ）プリンタにおいて、
中間転写面と、
乾燥ポリマー粉末を含む異なる材料の層を前記中間転写面に静電的に転写するように配置された現像ステーションと、
前記中間転写面に隣接する転写定着ステーションであって、前記中間転写面が前記転写定着ステーションを通過するのにともない前記層を受けるように配置された転写定着ステーションと、
前記中間転写面に対して移動するプラテンであって、前記プラテン上の前記層の独立した積層を連続的に形成するように前記転写定着ステーションにおいて前記中間転写面上の前記層の１つに前記プラテンが接触するたびに、前記中間転写面が前記異なる材料の層を前記プラテンに転写するプラテンと、
前記転写定着ステーションに隣接し、前記異なる材料のガラス転移温度より高く、前記異なる材料の融点より低い温度で加熱する構成要素を含む、ヒータと、
前記層が前記転写定着ステーションから前記プラテンに転写された後に前記層のそれぞれにＬＥＤ紫外光を印加するように配置されたＬＥＤ硬化ステーションであって、前記異なる材料が前記ヒータにより前記温度で加熱されている間、前記層内の前記異なる材料の一部のみにおけるポリマーを一体に架橋させるように前記ＬＥＤ紫外光を前記層に選択的に印加するＬＥＤ硬化ステーションと
を備え、前記ＬＥＤ硬化ステーションは、前記層に限定された浸透深さに前記ＬＥＤ紫外光を提供し、前記層が配置される前記独立した積層に前記紫外光を提供することを回避する構成要素を含み、前記温度は、前記異なる材料に十分な移動性を提供し、前記異なる材料中の個々のポリマー主鎖が、選択的に印加される前記紫外光に応答して互いに物理的に接近することを可能にする、３Ｄプリンタ。
【請求項１６】
前記ＬＥＤ硬化ステーションが、前記層内の前記材料の第２部分に前記ＬＥＤ紫外光を印加せず、前記ＬＥＤ紫外光が、未架橋材料として前記第２の部分を残すように前記第２の部分におけるポリマーを架橋することなく前記一部におけるポリマーを一体に架橋する、請求項１５に記載の３Ｄプリンタ。
【請求項１７】
前記ＬＥＤ硬化ステーションが、前記層内の前記材料の第２の部分に前記ＬＥＤ紫外光を印加せず、前記一部が前記層の全てよりも小さく、前記一部及び前記第２の部分が前記層の異なる部分である、請求項１５に記載の３Ｄプリンタ。
【請求項１８】
前記ＬＥＤ硬化ステーションが、前記層内の前記材料の第２部分に前記ＬＥＤ紫外光を印加せず、
前記３Ｄプリンタが、さらに、前記第２の部分から前記一部を分離して３Ｄ印刷された部品を残すために前記第２の部分を除去するように配置された材料除去ステーションを備える、請求項１５に記載の３Ｄプリンタ。
【請求項１９】
前記材料除去ステーションは、溶媒リンス装置を含む、請求項１８に記載の３Ｄプリンタ。
【請求項２０】
前記転写定着ステーションと前記ＬＥＤ硬化ステーションとの間に配置された定着ステーションをさらに含み、前記転写定着ステーション、前記定着ステーション、及び前記ＬＥＤ硬化ステーションは、前記プラテンが前記転写定着ステーションを最初に通過し、次に前記定着ステーションを通過し、そして、前記ＬＥＤ硬化ステーションを通過するように配置されている、請求項１５に記載の３Ｄプリンタ。